(57)【要約】
【課題】  装飾部が持つ輝きを損なうことなく、確実に宝石等を装着することが可能な装身具を提供することを課題とする。
【解決手段】  装身具１は、プラチナを素材として形成された第一装身具本体６、および金を素材として形成された第二装身具本体７から構成される雫型の装身具本体２と、金を素材として形成され、装身具本体２に装着される洋ナシ型の装飾部３と、第一装身具本体６に穿設された本体側孔部２ａと、第二装身具本体７に穿設された本体側孔部２ｂと、装飾部３の表面の本体側孔部２ａ，２ｂにそれぞれ対向する箇所に穿設された装飾側孔部３ａ，３ｂと、形成された孔空間にそれぞれ挿通される棒軸５ａ，５ｂと、装身具本体２に貫設された環孔部９と、環孔部９に通され首から吊下げて使用するための鎖部とから主に構成され、ネックレスに形成されている。
【選択図】        図６
0003101066.tif 000002
【実用新案登録請求の範囲】
【請求項１】
装身具本体と、
宝石又は貴金属を素材として形成され、前記装身具本体に装着される装飾部と、
前記装飾部と当接する前記装身具本体に穿設された本体側孔部と、
前記本体側孔部の開口部に対向する前記装飾部の表面に穿設された装飾側孔部と、
互いに対向する前記本体側孔部および前記装飾側孔部によって形成された孔空間に挿通可能な略棒状の棒軸と、
前記本体側孔部および前記装飾側孔部に前記棒軸を挿通し、前記装身具本体に装着される前記装飾部の装着状態を固定する固定手段と
を具備することを特徴とする装身具。
【請求項２】
前記装身具本体に装着された前記装飾部の一端近傍の少なくとも一部を包み込んで保持する保持部をさらに具備することを特徴とする請求項１に記載の装身具。
【請求項３】
装身具本体と、
宝石又は貴金属を素材として形成され、前記装身具本体に装着される装飾部と、
前記装飾部と当接する前記装身具本体の略同一線上に沿って穿設された一対の本体側孔部と、
一方の前記本体側孔部の開口部に対向する前記装飾部の表面から、他方の前記本体側孔部の開口部に対向する前記装飾部の表面まで貫通された装飾貫通孔部と、
互いに対向する前記本体側孔部および前記装飾貫通孔部によって形成された孔空間に挿通可能な略棒状の棒軸と、
前記本体側孔部および前記装飾貫通孔部に前記棒軸を挿通し、前記装身具本体に装着される前記装飾部の装着状態を固定する固定手段と
を具備することを特徴とする装身具。
【請求項４】
前記孔空間の一部をなす装飾側孔空間に収容物が収容されることを特徴とする請求項１乃至請求項３に記載の装身具。
【考案の詳細な説明】
【技術分野】
【０００１】
本考案は、装身具に関するものであり、特に、宝石等の装飾部を装身具本体に確実に固定することが可能な装身具に関するものである。
【背景技術】
【０００２】
従来より、真珠、ダイヤモンド、ルビー、エメラルド等の宝石、或いは金やプラチナ等の貴金属は、ネックレス、ペンダント、ブローチ、指輪およびイヤリングなどに輝きを与える装飾部として装身具に使用されている。そして、これらの装身具は、複数の爪が形成された台座に宝石を配置し、これら複数の爪を宝石の上方から当接するように折り曲げ、さらに下方から台座によって宝石を保持するもの、または、台座に宝石を接着剤で取着するもの、または、筒状の台座に宝石を配置し、台座の端部を宝石の周囲を覆うように折り曲げることにより台座に保持するもの等によって宝石が台座に固定された装身具が一般的に知られている。
【考案の開示】
【考案が解決しようとする課題】
【０００３】
しかし、装飾部（宝石または貴金属に相当）を台座の爪で固定した装身具、および装飾部の周囲を台座の一部で覆い留めた装身具の場合、装飾部が爪または周囲を覆う台座によって隠れる部分が生じ、装飾部に入射する光が減殺され、その輝きが損なわれてしまうおそれがあった。また、装飾部を接着剤で台座に固定した装身具の場合、年月が経つと接着剤が劣化し、固定した装飾部が台座から外れてしまい、最悪の場合、宝石を紛失してしまうおそれがあった。
【０００４】
また、これらの装身具の中には、大切な人物の写真を入れることのできるロケットペンダントが知られ、これは、大切な思い出の品を常に身に付けておくことを可能にするものである。そして、写真以外の思い出の品等、使用者が希望するものも肌身離さず身に付けることができる装身具を望む声もあった。
【０００５】
そこで、本考案は、上記実情に鑑み、装飾部を装身具本体に確実に装着することができ、かつ装飾部の輝きを損なうことなく魅力を充分に提示することのできる装身具を提供することを第一の課題とし、所望の品を装身具に収容して身に付けることを可能にする装身具を提供することを第二の課題とするものである。
【課題を解決するための手段】
【０００６】
本考案に係る装身具は、「装身具本体と、宝石又は貴金属を素材として形成され、前記装身具本体に装着される装飾部と、前記装飾部と当接する前記装身具本体に穿設された本体側孔部と、前記本体側孔部の開口部に対向する前記装飾部の表面に穿設された装飾側孔部と、互いに対向する前記本体側孔部および前記装飾側孔部によって形成された孔空間に挿通可能な略棒状の棒軸と、前記本体側孔部および前記装飾側孔部に前記棒軸を挿通し、前記装身具本体に装着される前記装飾部の装着状態を固定する固定手段とを具備する」ことを、上述の課題を解決するための特徴とする。
【０００７】
ここで、装身具とは、ペンダント、ブローチ、指輪、キーホルダーおよびネックレス等を例示することができ、さらに装身具本体とは、係る装飾品に宝石や貴金属等の装飾部が装着される前の指輪本体やペンダントヘッド等が相当するものである。
【０００８】
また、装飾部に含まれる宝石とは、非金属の鉱物等で色彩、光沢等が美しいものであり、ダイヤモンド、エメラルド、サファイヤ、ルビー、ガーネット琥珀、象牙、珊瑚、真珠等が挙げられる。さらに、天然の石だけではなく、人工石も含まれる。一方、貴金属とは、白金、金、銀、チタン等の希少価値の高い金属材料が例示される。
【０００９】
さらに、本体側孔部とは、装飾部が当接する装身具本体の内側に穿設された小孔であり、一方、装飾側孔部とは、該本体側孔部の開口部に対向するようにして装飾部に穿設された小孔である。係る本体側孔部および装飾側孔部の孔径は、特に限定されないが、例えば、０．５ｍｍから３．０ｍｍ程度の非常に小さいものが想定され、互いに略同形状および略同径に形成されていることが望ましい。そして、本体側孔部および装飾側孔部の開口部側が互いに対向するようにして装飾部を装身具本体に装着することにより、円筒状の孔空間が形成される。
【００１０】
一方、棒軸とは、前述の孔空間に挿通可能な形状を有する円柱状等の棒状部材であり、チタン、金、銀、およびステンレス等の硬質の素材で形成されるものである。なお、棒軸は、少なくとも本体側孔部または装飾側孔部のいずれか一方の孔深さよりも長く形成されている必要がある。また、固定手段とは装身具本体に装着された装飾部の状態を安定して保持するためのものであり、例えば、一対の本体側孔部を備える装身具本体の場合、装身具本体を一方の本体側穴部を有する第一装身具本体と、他方の本体側穴部を有する第二装身具本体とに分離可能に形成し、係る第一装身具本体と第二装身具本体とで宝石等の装飾部を挟み込んだ状態で固定するもの等が挙げられる。
【００１１】
したがって、本考案の装身具によれば、装飾部を装身具本体に装着すると、装身具本体および装飾部に互いに穿設された本体側孔部および装飾側孔部によって円筒状の孔空間が形成されるため、係る孔空間に棒軸を挿通することにより装飾部の装身具本体に対する直交方向（さらに詳しく説明すると棒軸の軸方向に対して直交する方向に相当）への移動を制限することが可能になる。さらに、具体的に説明すると、形成された孔空間に棒軸が挿通された状態にあると、本体側孔部および装飾側孔部の当接面に棒軸の一部が介在していることになる。そのため、装身具本体または装飾部のいずれか一方に、前述の直交方向に力が加えられた場合、本体側孔部または装飾側孔部の内孔面が棒軸に接触し、それ以上の移動が制限される。その結果、直交方向への前述の直交方向への移動が制限された装身具本体または装飾部により、装飾部の装身具本体への装着状態を安定したものにすることが可能となる。加えて、前述した固定手段（装身具本体を二つに分離可能に形成するもの）等を適用することにより、棒軸の軸方向に沿った装飾部の移動も併せて制限されることになる。その結果、互いに直交する二方向への移動が制限された装飾部は、より確実に装身具本体に装着されることになり、装身具としての態様を安定して保持することができるようになる。
【００１２】
なお、上述した固定手段において、棒軸の軸表面或いは各々の孔部の内孔面に接着剤を塗布して係る棒軸を孔空間に挿通することにより、棒軸および固定手段による装飾部の装着状態をより強固なものとすることができる。さらに、装飾部が係る棒軸を回転軸として装身具本体に装着された状態で回転したり、揺動したりすることを防ぐことができる。
【００１３】
また、上記装身具を「前記装身具本体に装着された前記装飾部の一端近傍の少なくとも一部を包み込んで保持する保持部をさらに具備する」ものとしてもよい。
【００１４】
ここで、保持部とは、装飾部の一端近傍を保持するものであり、例えば、本体側孔部と装飾側孔部により形成される孔空間に挿通される棒軸での固定箇所の対称位置に、装飾部の一端部の形状に合わせて帽子状に形成され、係る一端部を包み込んで保持するもの等が挙げられる。なお、このとき、確実な保持を行うために、保持部は金、銀、およびステンレス等の硬質の素材で形成されるものであることが望ましい。
【００１５】
したがって、本考案の装身具によれば、装飾部を装身具本体に装着すると、装飾部の一端近傍が保持部により包み込まれるため、装飾部の装身具本体に対する直交方向への移動を制限することが可能になる。さらに、保持部により装飾部の一端近傍が隙間なく保持されることにより、装飾部が装身具本体に装着された状態で回転したり、揺動したりすることを防ぐことが可能になる。加えて、前述の固定手段を適用することにより、装飾部の装身具本体に対する平行方向の移動も併せて制限されることになる。その結果、互いに直交する二方向への移動が制限された装飾部は、確実に装身具本体に装着されることになる。
【００１６】
さらに、保持部のデザインや位置を変更することにより、異なったデザインの装身具を作成することが可能になる。
【００１７】
本考案に係る装身具は、「装身具本体と、宝石又は貴金属を素材として形成され、前記装身具本体に装着される装飾部と、前記装飾部と当接する前記装身具本体の略同一線上に沿って穿設された一対の本体側孔部と、一方の前記本体側孔部の開口部に対向する前記装飾部の表面から、他方の前記本体側孔部の開口部に対向する前記装飾部の表面まで貫通された装飾貫通孔部と、互いに対向する前記本体側孔部および前記装飾貫通孔部によって形成された孔空間に挿通可能な略棒状の棒軸と、前記本体側孔部および前記装飾貫通孔部に前記棒軸を挿通し、前記装身具本体に装着される前記装飾部の装着状態を固定する固定手段とを具備する」ことを、上述の課題を解決するための特徴とする。
【００１８】
ここで、装身具、装身具本体、および装飾部の詳細については既に述べたものが適用可能であるため、詳細な説明は省略するものとする。
【００１９】
したがって、本考案の装身具によれば、装身具本体に穿設された一対の本体側孔部、および装飾部に穿設された装飾貫通孔部によって、装飾部が装身具本体に装着されると、装飾部を筒抜けた一本の細長形状の孔空間が形成される。そして、係る孔空間の本体側孔部及び装飾貫通孔部の互いに対向する開口部に棒軸を挿通し、係る状態を保持することにより、上述した本体側孔部及び装飾側孔部からなる構成によって奏せられる装身具と同様の作用を得ることができるようになる。なお、孔空間に挿通される棒軸は、孔空間のそれぞれの開口部近傍に一本ずつ設けるものであっても、装飾貫通孔部を貫通して挿通される一本の細長形状、すなわち、形成される孔空間と略同一の長さを有する棒軸であっても構わない。また、装飾部に対して装飾貫通孔部を設けることにより、装飾部への穿設作業を一度で行うことが可能となり、本考案の装身具の加工工数を軽減させることも可能となる。
【００２０】
また、上記装身具を「前記孔空間の一部をなす装飾側孔空間に収容物が収容される」ものとしてもよい。
【００２１】
ここで、装飾側孔空間とは、本体側孔部と、装飾側孔部または装飾貫通孔のいずれか一方と形成される孔空間において、装飾部の内部に設けられた空間を示すものである。また、係る装飾側孔空間に収容される収容物は、特に限定されないが、装身具の使用者が常に身に付けていたいと願うようなものであり、例えば、子供や孫等の乳歯の一部を削った欠片等を例示することができる。
【００２２】
したがって、本考案の装身具によれば、装飾部が装身具本体に安定して装着された装身具の内部に、使用者が収容することを望む物品を収容物として収容し、さらに装身具として常に身に付けた状態にすることが可能となる。なお、装飾部が金や銀等の貴金属である場合、収容された収容物を視認することはない。一方、宝石等の有色透明或いは無色透明の素材から形成された装飾部を有する装身具では、内部の収容物を使用者は視認することができる。これにより、それぞれの想いに応じて収容物を視認可能、或いは視認不可能の状態を選択することが可能となる。さらに、装飾部を宝石で形成した場合、宝石は長年にわたって形状等が維持されるため、装身具の使用者は装飾部に収容される収容物を装身具と共に長年にわたって身に付けることが可能になる。
【考案の効果】
【００２３】
上述のように、本考案の装身具によれば、宝石等の装飾部は、従来のように一部を固定するための爪や台座に覆われることなく装飾部本来の美しさを提示することができる。また、装身具の使用者の希望に応じて、装飾部の内部に収容物を収容することにより、装身具の使用者が収容物をいつでも身に付けることが可能である装身具を提供することができる。
【考案を実施するための最良の形態】
【００２４】
以下、本考案の第一実施形態である装身具１について、図１乃至図６に基づいて詳細に説明する。ここで、図１は第一実施形態の装身具１の構成を示す説明図であり、図２は装身具１の構成を示す正面図であり、図３は装身具１の構成を示す側面図であり、図４は装身具１の構成を示す図２におけるＡ−Ａ断面図であり、図５は装身具１の構成を示す図３におけるＢ−Ｂ断面図であり、図６は装身具１の構成を示す分解斜視図である。
【００２５】
第一実施形態の装身具１は、図１乃至図６に示すように、プラチナを素材として形成された第一装身具本体６、および金を素材として形成され、第一装身具本体６の底部を塞栓するために、第一装身具本体６と分離可能に設けられた第二装身具本体７から構成される雫型の装身具本体２と、金を素材として形成され、装身具本体２に内包して装着される洋ナシ型の装飾部３と、第一装身具本体６の装飾部３に当接する箇所に穿設された本体側孔部２ａと、第二装身具本体７の装飾部３に当接する箇所に穿設された本体側孔部２ｂと、装飾部３の表面の本体側孔部２ａ，２ｂにそれぞれ対向する箇所に穿設された装飾側孔部３ａ，３ｂと、対向する本体側孔部２ａおよび装飾側孔部３ａによって形成される孔空間１２ａに挿通される棒軸５ａと、対向する本体側孔部２ｂおよび装飾側孔部３ｂによって形成される孔空間１２ｂに挿通される棒軸５ｂと、装身具本体２の略上端部に設けられた環孔部９と、環孔部９に通され、使用者が首から吊下げて使用するための鎖部１０とから主に構成されている。ここで、第一実施形態の装身具１は、ネックレスの態様のものを例示して、説明を行うものとする。なお、説明を簡略化するために、図４乃至図６に示す本体側孔部２ａ，２ｂおよび装飾側孔部３ａ，３ｂ、そして棒軸５ａ、５ｂは、実際の寸法よりも若干大きく表示している。また、第二装身具本体７が本考案における固定手段に相当する。
【００２６】
ここで、装身具本体２についてさらに詳しく説明する。装身具本体２は、雫を立体的に模して形成されており、正面略中央部には装飾部３を内包して装着するために、装飾部３の外周形状と略同形状の内側面を備える洋ナシ型の貫通孔部８が形成されている（図４参照）。そして、上述のように装身具本体２は本体側孔部２ａを備える第一装身具本体６および本体側孔部２ｂを備える第二装身具本体７から構成されている。
【００２７】
次に、装飾部３を装身具本体２に装着する手順について図４乃至図６に基づいて説明する。まず、第一装身具本体６に穿設された本体側孔部２ａと、装飾部３に穿設された装飾側孔部３ａによって形成される孔空間１２ａに棒軸５ａを挿通させた状態で装飾部３を第一装身具本体６に装着する。このとき、貫通孔８が装飾部３の外周形状に合わせて形成されているため、装着の際に貫通孔８と装飾部３との間に隙間が形成されることがなく、両者は密着した状態となる。次に、第二装身具本体７に穿設された本体側孔部２ｂと装飾部３に穿設された装飾側孔部３ｂによって形成される孔空間１２ｂに棒軸５ｂを挿通させた状態で第二装身具本体７を装飾部３に装着する。そして、第一装身具本体６の底部１１を装飾部３と第二装身具本体７に当接するように曲成させる。このとき、底部１１の一部は、第二装身具本体７の外周形状に合致するように窪んで形成されているため、曲成させることで第二装身具本体７を一対の底部１１で挟み込み、確実に保持することができる。これにより、装身具本体２に装着される装飾部３の装着状態が固定されることになる。
【００２８】
上述したように、装飾部３を装身具本体２に装着すると、本体側孔部２ａと装飾側孔部３ａ、および本体側孔部２ｂと装飾側孔部３ｂの開口部が対向し、孔空間１２ａおよび１２ｂがそれぞれ形成される。そして、係る孔空間１２ａに棒軸５ａを挿通させ、孔空間１２ｂに棒軸５ｂを挿通させた状態で装着状態を固定することにより、装飾部３の装身具本体２に対しての移動を確実に制限することができる。
【００２９】
なお、軸棒５ａ，５ｂを孔空間１２ａ，１２ｂに挿通させる際に、軸棒５ａ，５ｂの軸表面或いは孔空間１２ａ，１２ｂの内孔面に接着剤を塗布すると、装身具本体２に装着される装飾部３の装着状態をより強固なものとすることができる。
【００３０】
さらに、棒軸５ａ，５ｂは装身具本体２および装飾部３の内部に挿通されているため、装身具１の外観から認識されることはない。したがって、装身具１の外観を損なうことなく装飾部３を装身具本体２に確実に装着することができる。
【００３１】
続いて、本考案の第二実施形態の装身具５１について図７および図８に基づいて説明する。ここで、図７は第二実施形態の装身具５１の構成を示す断面図であり、図８は第二実施形態の装身具５１の構成を模式的に示す説明図である。
【００３２】
装身具５１は、第一実施形態の装身具１と同様の雫型を呈する装身具本体５２と、装身具本体５２に内包されて装着される装飾部５３とから主に構成されている。そして、装飾部５３は、第一実施形態の装飾部３と同様に金を素材として洋ナシ型に形成されており、装飾部５３の底部には装飾側孔部５３ａを備えている。なお、第二実施形態の装身具５１は、第一実施形態の装身具１と同様のネックレスの態様をなすものであり、説明を簡略化するため、外観形状等についての図示を省略している。
【００３３】
ここで、装身具本体５２についてさらに詳しく説明する。装身具本体５２は、図７に示すように、第一装身具本体５６および第二装身具本体５７によって構成されている。第二装身具本体５７は、第一実施形態の第二装身具本体７と同一のものであり、本体側孔部５２ａが穿設されている。一方、第一装身具本体５６は、装身具本体５２に設けられる貫通孔５８の内側面のうち、装飾部５３の上部周辺５６ａを図７に示す矢印方向に切り起こすことにより保持部６０が設けられている。
【００３４】
さらに、第二実施形態の装身具５１において、装飾部５３を装身具本体５２に装着する手順について説明する。第一装身具本体５６に設けられた保持部６０の中央部６１に装飾部５３の上部が当接するように設置し、保持部６０を装飾部５３の外周形状に沿わせて変形させる。そして、第一実施形態の装身具１と同様に、第二装身具本体５７に穿設された本体側孔部５２ａと装飾部５３に穿設された装飾側孔部５３ａによって形成される孔空間に棒軸５５を挿通させた状態で第二装身具本体５７を装飾部５３に装着する。次に、第一装身具本体５６を装飾部５３と第二装身具本体５７に当接するように曲成させる。このとき、装飾部５３の一部が保持部６０に包み込まれ、保持されるため、装飾部の装身具本体に対する直交方向への移動が制限される。加えて、第二装身具本体５７が底部より装飾部５３を固定することにより、装飾部の装身具本体に対する平行方向への移動が制限される。したがって、装身具本体５２に装着される装飾部５３の装着状態が固定されることになる。
【００３５】
これにより、第二実施形態の装身具５１は、第一実施形態の装身具１と同様の効果を奏することができる。
【００３６】
さらに、切り起こした保持部６０を加工することにより、図８に示すような植物の葉の形に形成された保持部を設けることができる。これにより、装飾部５３が植物の果実の形状を呈するデザインの装身具を作成することができる。
【００３７】
続いて、本考案の第三実施形態である装身具２１について図９に基づいて説明する。ここで、図９は第三実施形態である装身具２１の構成を示す断面図である。
【００３８】
装身具２１は、図９に示すように、第一実施形態の装身具１と同様の雫型を呈する装身具本体２２と、装身具本体２２に内包されて装着される装飾部２３とから主に構成されている。そして、装飾部２３は、第一実施形態の装飾部３と同様に金を素材として洋ナシ型に形成されており、装飾側孔部２３ａ，２３ｂを備えている。なお、第三実施形態の装身具２１は、第一実施形態の装身具１と同様のネックレスの態様をなすものであり、説明を簡略化するため、外観形状等についての図示を省略している。
【００３９】
ここで、装身具本体２２についてさらに詳しく説明する。装身具本体２２は、図９に示すように、第一装身具本体２６および第二装身具本体２７によって構成されている。第一装身具本体２６は、第一実施形態の第一装身具本体６と同一のものであり、本体側孔部２２ａが穿設されている。一方、第二装身具本体２７は、装飾側孔部２３ｂの一部に嵌合する嵌合部２７aを有し、断面凸形状を呈している。ここで、第二装身具本体２７は、装飾部２３と同じ金で形成されている。なお、嵌合部２７ａが嵌合するのは装飾側孔部２３ｂの開口部付近であり、装飾側孔部２３ｂ全体に嵌合することはない。これにより、装飾側孔部２３ｂには孔空間２９が形成される。
【００４０】
さらに、第三実施形態の装身具２１において、収容物３０を収容する手順について図９に基づいて説明する。第一装身具本体２６に穿設される本体側孔部２２ａと、装飾部２３に穿設された装飾側孔部２３ａによって形成される孔空間２４に棒軸２５ａを挿通させた状態で装飾部２３を第一装身具本体２６に装着する。そして装飾側孔部２３ｂの空間に収容物３０を収容し、装飾側孔部２３ｂの開口部から第三装身具本体２７を嵌合する。これにより装飾側孔部２３ｂが閉塞される。そして最後に、第一装身具本体２６の底部を装飾部２３と第三装身具本体２７に当接するように曲成させる。これにより、装身具本体２２に装着される装飾部２３の装着状態が固定されることになる。
【００４１】
これにより、第一実施形態の装身具１の効果に加え、第三実施形態の装身具２１は、装身具の使用者が身に付けて持ち歩きたいと思うもの等を収容物３０として装飾部２３の内部の孔空間２４に収容することができる。したがって、装身具２１の使用者は収容物３０を常に身近に感じることができる。
【００４２】
さらに、本考案の第四実施形態である装身具３１について図１０に基づいて説明する。図１０は第四実施形態である装身具３１の構成を示す断面図である。
【００４３】
装身具本体３２は、図１０に示すように第一実施形態の装身具本体２と同一のものであり、本体側孔部３２ａを備える第一装身具本体３６と、本体側孔部３２ｂを備える第二装身具本体３７から構成されている。そして、装飾部３３は、第一実施形態の装飾部３と同様に金を素材として洋ナシ型に形成されている。ここで、装飾部３３は、第一装身具本体３６に穿設される本体側孔部３２ａの開口部に対向する箇所から、第二装身具本体３７に穿設される本体側孔部３２ｂの開口部に対向する箇所まで貫通された装飾貫通孔部４０が穿設されている。そして本体側孔部３２ａと装飾貫通孔部４０の一部に挿通する棒軸３５ａと、本体側孔部３２ｂと装飾貫通孔部４０の一部に挿通する棒軸３５ｂは、装飾貫通孔部４０の内部に完全に挿入するのを防ぐために、棒軸部の長手方向中間部にフランジを備えている。
【００４４】
これより、装飾部３３に穿設される装飾貫通孔部４０には、棒軸３５ａ，３５ｂが挿通された場合にも細長い孔空間が形成されるため、細長い収容物（図示しない）を収容することができる。また、装飾貫通孔部４０に収容物を収容しない場合には、本体側孔部３２ａ，３２ｂおよび装飾貫通孔部４０によって形成される孔空間に、装飾貫通孔部４０を貫通する棒軸を一本挿通させることにより装身具本体３２に装飾部３３を装着できるため、棒軸を二本準備し、装飾部の表面の二箇所に穿設を行うという手間および時間を省略することが可能になる。
【００４５】
上述したように、本考案について好適な実施形態を挙げて説明したが、本考案はこれらの実施形態に限定されるものではなく、以下に示すように、本考案の要旨を逸脱しない範囲において種々の改良および設計の変更が可能である。
【００４６】
すなわち、第一乃至第四実施形態において、装身具としてネックレスの態様のものを示したが、これに限定されるものではなく、指輪、イヤリング、ブローチ、キーホルダー等を装身具とするものであっても構わない。
【００４７】
また、装身具本体２，２２，３２は、プラチナを素材として形成するものを示したが、素材はこれに限定されるものではなく、シルバー、パラジウム等を利用してもよい。さらに、装飾部３，２３，３３は、金を素材として形成されるものを示したが、素材はこれに限定されるものでなく、イエローゴールド、ピンクゴールド、およびグリーンゴールド等の種々の色彩の金を利用することが可能である。さらに、貴金属に限定されず、ダイヤモンド、エメラルド、およびルビー等の種々の宝石を利用することも可能である。これにより、装身具の使用者の嗜好、および予算に応じた装身具を作成することが可能となる。
【００４８】
また、保持部６０は、第一装身具本体５６から切り起こして設けたものを示したが、これに限定されるものではなく、保持部を別個の部品とし、装飾部を装身具本体に装着する際に装身具本体に固定するものや、第一装身具本体に予め保持部を形成したものであっても構わない。
【００４９】
また、装飾側孔空間２４、または装飾貫通孔３４に収容される収容物は一つに限らず、複数であってもよい。また、収容物を収容した状態で装飾側孔空間２４、または装飾貫通孔３４にシリコーン樹脂等を充填してもよい。これにより、収容物はシリコーン樹脂等に内包され、装身具２１，３１に衝撃が加わった場合でも、装飾側孔空間２４、または装飾貫通孔３４に衝突するのを防止できるため、収容物を破損するおそれがなくなる。
【００５０】
また、装飾部を装身具本体に装着する手段は、第一乃至第四実施形態で示した手段に限定されるものではない。例えば、上下二つの部分に分離できる装身具本体を用いて、装身具本体の下部に装飾部を装着させ、装飾部の上方から上部の装身具本体を被せるように装着させ、上下の装身具本体を固定することにより、装飾部を装身具本体に挟み込むように装着することができる。これにより、幅広いデザインの装身具を作成することが可能になる。
【図面の簡単な説明】
【００５１】
【図１】第一実施形態の装身具の構成を示す斜視図である。
【図２】装身具の構成を示す正面図である。
【図３】装身具の構成を示す側面図である。
【図４】装身具の構成を示す図２におけるＡ−Ａ断面図である。
【図５】装身具の構成を示す図３におけるＢ−Ｂ断面図である。
【図６】装身具の構成を示す分解斜視図である。
【図７】第二実施形態の装身具の構成を示す断面図である。
【図８】装身具の構成を模式的に示す説明図である。
【図９】第三実施形態の装身具の構成を示す断面図である。
【図１０】第四実施形態の装身具の構成を示す断面図である。
【符号の説明】
【００５２】
１，２１，３１，５１  装身具
２，２２，３２，５２  装身具本体
３，２３，３３，５３  装飾部
２ａ，２ｂ，２２ａ，２２ｂ，３２ａ，３２ｂ，５２ａ  本体側孔部
３ａ，３ｂ，２３ａ，２３ｂ，５３ａ  装飾側孔部
５ａ，５ｂ，２５ａ，５５ａ  棒軸（固定手段）
６，２６，３６，５６  第一装身具本体
７，２７，３７，５７  第二装身具本体（固定手段）
２４  装飾側孔空間
３０  収容物
３４  装飾貫通孔
４０  装飾貫通孔部
６０  保持部
【図１】
0003101066.tif 000003
【図２】
0003101066.tif 000004
【図３】
0003101066.tif 000005
【図４】
0003101066.tif 000006
【図５】
0003101066.tif 000007
【図６】
0003101066.tif 000008
【図７】
0003101066.tif 000009
【図８】
0003101066.tif 000010
【図９】
0003101066.tif 000011
【図１０】
0003101066.tif 000012